(57)【要約】【課題】      水を汲んだ後ロープの捲回具が足下に転がった状態になったり、ロープやロープの捲回具がバケツ本体から垂れ下がりやすいこと。【解決手段】  バケツ１は、汲んだ水を入れるバケツ本体２とこれを引き上げるためのロープ３とこのロープ３を捲回するためのロープの捲回具４を有している。ロープの捲回具４は、その一側側に指掛け孔４ｂが形成され、他側側にロープ３の捲回部４ｄが形成され、握持部４ａには、指掛け孔４ｂに通じるように設けた切り欠き４ｃが形成されている。【選択図】        図１
2006036244.tif 000002
【特許請求の範囲】
【請求項１】
バケツ本体に取り付けたロープの上端にロープの捲回具を取り付けたバケツにおいて、前記ロープの捲回具は、指掛け孔と該指掛け孔に通じる切り欠きを有していることを特徴とするバケツ。
【請求項２】
切り欠きは、少なくともバケツ本体に取り付けたロープが挿通可能であること特徴とする請求項１記載のバケツ。
【発明の詳細な説明】
【技術分野】
【０００１】
本発明は、バケツ本体に取り付けたロープの上端にロープの捲回具を取り付けたバケツに関する。
【背景技術】
【０００２】
川や海などで水を汲むときはバケツ本体にロープを取り付けたバケツが用いられている。
これらのバケツは、ロープが邪魔にならないようにロープの上端にロープの捲回具が取り付けられており、不要な長さのロープを巻き取っておけるようになっている。
例えば、釣りにおいては、足場の高い釣り場で水を汲むときは、バケツ本体に取り付けたロープの上端にロープの捲回具を取り付けたバケツを用いており、捲回具から必要な長さのロープを引き出して水面にバケツを投入し、ロープを引き上げることで安全に水を汲み上げて、餌に加えたり、魚を入れる容器に入れたり、釣り場の清掃等に使用している。
しかし、このようなバケツは、上記作業等で汲んだ水を使用するときには、ロープやロープの捲回具が邪魔になるという問題がある。
【０００３】
特許文献１の公報にはバケツ本体に取り付けたロープの上端にロープの捲回具を取り付けたバケツが記載されている。
ところが、水を汲んだ後ロープの捲回具が足下に転がして置いてあったり、バケツ本体を持って作業するときにロープやロープの捲回具はバケツ本体から垂れ下がった状態となり、場合によっては引きずりながら作業をしなければならなかった。
【特許文献１】特開２００３−２６１８２号公報
【発明の開示】
【発明が解決しようとする課題】
【０００４】
解決しようとする課題は、水を汲んだ後ロープの捲回具が足下に転がった状態になったり、ロープやロープの捲回具がバケツ本体から垂れ下がりやすいことである。
【０００５】
本発明の目的は前記欠点に鑑み、バケツ本体に取り付けたロープの上端にロープの捲回具を取り付けたバケツを使用するときロープやロープの捲回具が邪魔にならないようにすることである。
【課題を解決するための手段】
【０００６】
上記課題を解決するために、
請求項１に係わる本発明は、バケツ本体に取り付けたロープの上端にロープの捲回具を取り付けたバケツにおいて、前記ロープの捲回具は、指掛け孔と該指掛け孔に通じる切り欠きを有していることを要旨とするものである。
請求項２に係わる本発明は、切り欠きは、少なくともバケツ本体に取り付けたロープが挿通可能であることを要旨とするものである。
【発明の効果】
【０００７】
本発明により、バケツ本体に取り付けたロープの上端にロープの捲回具を取り付けたバケツに水を汲んで使用するときにロープやロープの捲回具が邪魔になることを防止する。
【発明を実施するための最良の形態】
【０００８】
以下、本発明の実施形態を図面に基づき説明すると、図１から図４は本発明で、図１はロープをロープの捲回具に捲回したバケツの正面図、図２はロープをロープの捲回具から解いたバケツの正面図、図３はロープの捲回具をロープに係止したバケツの正面図、図４はロープの捲回具をハンドルに係止したバケツの正面図である。
【０００９】
図１によると、バケツ１は、汲んだ水を入れるバケツ本体２とこれを引き上げるためのロープ３とこのロープ３を捲回するためのロープの捲回具４を有している。
バケツ本体２は、汲んだ水を入れる合成樹脂等の防水性材料で形成された容器体で、内部を収納部とし、上方に開口２ｅを有している。
そして、バケツ本体２には開口近傍の開口２ｅを挟んだ対抗位置にハンドル保持部２ｄが取り付けられ、このハンドル保持部２ｄを介してコ字状のハンドル２ａが取り付けられている。
【００１０】
ハンドル２ａは合成樹脂を金型で成型したもので、その両端がそれぞれハンドル保持部２ｄに設けた孔に挿通され両端にこぶが形成されて抜け止めされて回動可能に保持されており、立ち上がった起立状体とバケツ本体２側に倒した倒伏状態にすることができる。
ハンドル２ａは、ロープ３のように合成樹脂製の組紐で形成しても良く、また、ハンドル２ａを介さずにロープ３をバケツ本体２に取り付けても良い。
【００１１】
ロープ３は、合成樹脂製の組紐でその下端がバケツ本体２のハンドル２ａに取り付けられ、上端がロープの捲回具４に取り付けられている。
ロープ３の下端はハンドル２ａの水平状の握り部の中央に設けた挿通孔２ｂに挿通して棒状の抜け止め部材２ｃに取り付けられて挿通孔２ｂから脱落しないようになっており、ロープ３の上端は図２のようにロープの捲回具４の指掛け孔４ｂに挿通して折り返し再びロープ３に止着することでとり、ロープの捲回具４に取り付けられている。
【００１２】
ロープの捲回具４は、合成樹脂や木材等で板状に形成され、その一側側に指掛け孔４ｂが形成され、他側側にロープ３の捲回部４ｄが形成されている。
指掛け孔４ｂは楕円形状に形成され、少なくとも人差し指から小指までを一度に挿通できる程度の大きさを有し、指掛け孔４ｂの外側に沿って握持部４ａが形成され、指掛け孔４ｂに上記指を挿通し握持部４ａに外側から親指をかけて握持部４ａを握持することができる。
【００１３】
握持部４ａには、指掛け孔４ｂに通じるように設けた指掛け孔４ｂより幅狭の切り欠き４ｃが形成されている。
切り欠き４ｃは、少なくともロープ３が挿通できる幅を有し、ロープ３の挿通がしやすいように外側の開口は、外側に向けて徐々に幅が広がるように形成されている。
切り欠き４ｃは、ロープの捲回具４の上側にあたる握持部４ａの中央を避け、握持部４ａの握持の邪魔をしないように握持部４ａの左右にずれた位置に設けられ、握持部４ａを握持しながら切り欠き４ｃにロープ３を挿通できるようになっている。
【００１４】
ロープの捲回具４に形成されたロープ３の捲回部４ｄは指掛け孔４ｂが形成された部分に比べて左右が窪んで形成されており、ロープ３を複数周に亘って捲回し、ここに収めることができる。
また、捲回したロ−プ３は切り欠いた溝状の係止部４ｅに差し込んで狭持することでロープ３が解れて脱落しないようにすることができる。
【００１５】
ロープの捲回具４に形成された切り欠き４ｃからロープ３を差し込んで、ロープ３を指掛け孔４ｂに導き入れ、挿通することで、図３のように、ロープ３に指掛け孔４ｂが係止されロープの捲回具４が保持されるようになっている。
ロープ３が指掛け孔４ｂに挿通されると切り欠き４ｃがこれより幅狭であるためロープ３は切り欠き４ｃから脱落せず、指掛け孔４ｂ内に保持される。
従来のロープの捲回具は切り欠いた溝状の係止部でロープを狭持することでロープの捲回具を保持していたため外れやすく、これが外れるとロープの捲回具はこの保持が解かれてしまったが、本願のバケツ１は指掛け孔４ｂ内に保持されるためこのような脱落が防止され、バケツ本体２に確実に保持される。
【００１６】
バケツ１を使用するときは、ロープの捲回具４に捲回したロ−プ３を溝状の係止部４ｅから取り外し、必要な分だけロープ３を捲回部４ｄから解いて引き出し、バケツ本体２を水面に投げ込む。
水面に投下されたバケツ本体２が倒れた状態となると開口２ｅから内部に水が入り、バケツ本体２が徐々に沈下する。
必要な量の水がバケツ本体２に入ったところでロ−プ３を手繰り寄せ、足場まで引き上げると水をくみ上げることができる。
【００１７】
水の入ったバケツ本体２を足下に置いて、引き出された余分なロープ３をロープの捲回具４の捲回部４ｄに巻き戻して、再びロ−プ３を溝状の係止部４ｅに差し込んで狭持し、ロープの捲回具４から捲回したロープ３が解れて脱落しないようにする。
【００１８】
次に、水の入ったバケツ本体２を足下に置いて使用するのであれば、そのままロープ３をロープの捲回具４の切り欠き４ｃに差し込んで指掛け孔４ｂ内に挿通することでロープの捲回具４がバケツ本体２（ハンドル２ａのロープ３の取り付け位置近傍）に係止される。
この状態で、ロープの捲回具４は、その自重でロープ３を張った状態でぶら下がり、僅かな長さのロープにより垂下した状態で保持され、ロープの捲回具４から手を離しても、係止部４ｅからロープ３が外れにくくなり、ロープの捲回具４からロープ３が解けたり、さらに、ロープの捲回具４がバケツ本体２から離れて脱落することが防止されている。
またこの後、ハンドル２ａを倒伏させても良いし、さらにバケツ本体を持ち上げて、作業することもでき、この場合もロープの捲回具４がバケツ本体２から離れて脱落することが防止されている。
【００１９】
さらに、ロープ３をロープの捲回具４の切り欠き４ｃに差し込んで指掛け孔４ｂ内に挿通することでロープの捲回具４がバケツ本体２に係止されるようにしたが、図４のように、ロープ３より幅広のハンドル２ａをロープの捲回具４の切り欠き４ｃに差し込んで指掛け孔４ｂ内に挿通することでロープの捲回具４をバケツ本体２（ハンドル２ａ）に係止しても良いし、図示しないが、更に幅広のバケツ本体２の開口２ｅをロープの捲回具４の切り欠き４ｃから差し込んで指掛け孔４ｂ内まで差し込むことでロープの捲回具４をバケツ本体２（ハンドル２ａ）に係止しても良い。
ロープの捲回具４の握持部４ａは可撓性を有し、切り欠き４ｃにこれより幅が広いロープ３等を握持部４ａの弾性に抗して差し込むときにその幅が広がるようになっている。
【００２０】
このようなバケツ１によると従来と同様に足場の高いところから容易に水を汲むことができ、また、この時、不要なロープはロープの捲回具４に巻き取っておくことができる。
さらに、バケツ１に水を汲んで使用するときに、切り欠き４ｃによりロープ３が指掛け孔４ｂ内に挿通できるようになっているため、ロープ３を巻き取った状態でロープの捲回具４がロープ３に係止されて足元に転がった状態にならずに済み、また、ロープの捲回具４やロープ３を踏んでしまったり、つまずいたりすることが防止されるためロープ３やロープの捲回具４が邪魔になることを防止することができる。
【産業上の利用可能性】
【００２１】
本発明は、ロープとロープの捲回具を取り付けたバケツに利用できる。
【図面の簡単な説明】
【００２２】
【図１】図１はロープをロープの捲回具に捲回したバケツの正面図である。
【図２】図２はロープをロープの捲回具から解いたバケツの正面図である。
【図３】図３はロープの捲回具をロープに係止したバケツの正面図である。
【図４】図４はロープの捲回具をハンドルに係止したバケツの正面図である。
【符号の説明】
【００２３】
１  バケツ
２  バケツ本体
３  ロープ
４  ロープの捲回具
４ａ  握持部
４ｂ  指掛け孔
４ｃ  切り欠き
【図１】
2006036244.tif 000003
【図２】
2006036244.tif 000004
【図３】
2006036244.tif 000005
【図４】
2006036244.tif 000006